(57)【特許請求の範囲】
【請求項１】
ユニバーサルモバイル通信システム(ＵＭＴＳ)におけるＩｕインタフェースを横切ってマシンタイプ通信(ＭＴＣ)データを通信する方法であって、
ＵＭＴＳネットワーク環境で一つ以上のＭＴＣデバイスに関連したパケットデータユニット(ＰＤＵ)を集積するステップと、
前記一つ以上のＭＴＣデバイスに関連した前記集積されたＰＤＵをＩｕ ＰＤＵに連結するステップと、
無線ネットワーク制御器及びコアネットワークを接続するＩｕ-ＰＳインタフェースを横切って前記連結されたＰＤＵを含む前記Ｉｕ ＰＤＵを多重化するステップと、
を有することを特徴とする方法。
【請求項２】
前記一つ以上のＭＴＣデバイスに関連したＰＤＵが集積されることをコアネットワークエレメントに通知するステップをさらに有することを特徴とする請求項１に記載の方法。
【請求項３】
前記ＵＭＴＳネットワーク環境で一つ以上のＭＴＣデバイスに関連したＰＤＵを集積するステップは、
前記無線ネットワーク制御器及び前記コアネットワークを接続する前記Ｉｕ-ＰＳインタフェースが過負荷されることを示す通知をコアネットワークエレメントから受信するステップと、
前記通知に基づいて前記無線ネットワーク制御器により前記一つ以上のＭＴＣデバイスから受信されたＰＤＵを集積するステップと、
を有することを特徴とする請求項１に記載の方法。
【請求項４】
前記ＵＭＴＳネットワーク環境で一つ以上のＭＴＣデバイスに関連したＰＤＵを集積するステップは、
前記無線ネットワーク制御器及び前記コアネットワークを接続するＩｕ-ＰＳインタフェースに関連した過負荷条件を決定するステップと、
前記決定に基づいてコアネットワークエレメントにより前記一つ以上のＭＴＣデバイスに関連したＰＤＵを集積するステップと、
を有することを特徴とする請求項１に記載の方法。
【請求項５】
前記一つ以上のＭＴＣデバイスに無線アクセスベアラ(ＲＡＢ)識別子を割り当てるステップをさらに有することを特徴とする請求項１に記載の方法。
【請求項６】
前記一つ以上のＭＴＣデバイスにＲＡＢ識別子を割り当てるステップは、前記一つ以上のＭＴＣデバイスに各々前記ＲＡＢ識別子に対応する固有ＲＦＣＩ及び関連するサブフローを割り当てるステップを有することを特徴とする請求項５に記載の方法。
【請求項７】
前記一つ以上のＭＴＣデバイスにＲＡＢ識別子を割り当てるステップは、前記一つ以上のＭＴＣデバイス各々に前記ＲＡＢ識別子に対応するＲＦＣＩを横切って多重のサブフローを割り当てるステップを有することを特徴とする請求項５に記載の方法。
【請求項８】
前記一つ以上のＭＴＣデバイスに関連した前記集積されたＰＤＵをＩｕ ＰＤＵに連結させるステップは、前記ＲＡＢ識別子に基づいて前記一つ以上のＭＴＣデバイスに関連する前記集積されたＰＤＵを前記Ｉｕ ＰＤＵに連結するステッを有することを特徴とする請求項５に記載の方法。
【請求項９】
前記Ｉｕ-ＰＳインタフェースを横切って前記連結されたＰＤＵを含む前記Ｉｕ ＰＤＵを多重化するステップは、前記ＲＡＢ識別子に関連したＲＡＢを通じて前記Ｉｕ-ＰＳインタフェースを横切って前記連結されたＰＤＵを含む前記Ｉｕ ＰＤＵを多重化するステップを有することを特徴とする請求項８に記載の方法。
【請求項１０】
プロセッサと、
前記プロセッサに結合されるメモリと、を含み、
前記メモリは、
ユニバーサルモバイル通信システム(ＵＭＴＳ)ネットワーク環境で一つ以上のマシンタイプ通信(ＭＴＣ)デバイスに関連したパケットデータユニット(ＰＤＵ)を集積し、
前記一つ以上のＭＴＣデバイスに関連した前記集積されたＰＤＵをＩｕ ＰＤＵに連結し、
Ｉｕ-ＰＳインタフェースを横切って前記連結されたＰＤＵを含む前記Ｉｕ ＰＤＵを多重化するように構成されるＰＤＵ連結モジュールを含むことを特徴とする装置。
【請求項１１】
前記ＰＤＵ連結モジュールは、前記一つ以上のＭＴＣデバイスに関連したＰＤＵが集積されることをコアネットワークエレメントに通知するように構成されることを特徴とする請求項１０に記載の装置。
【請求項１２】
前記ＰＤＵ連結モジュールは、前記Ｉｕ-ＰＳインタフェースが過負荷されることを示す通知をコアネットワークエレメントから受信し、前記通知に基づいて前記一つ以上のＭＴＣデバイスから受信されたＰＤＵを集積するように構成されることを特徴とする請求項１０に記載の装置。
【請求項１３】
前記ＰＤＵ連結モジュールは、Ｉｕ-ＰＳインタフェースに関連した過負荷条件を決定し、前記決定に基づいて前記一つ以上のＭＴＣデバイスに関連したＰＤＵを集積するように構成されることを特徴とする請求項１０に記載の装置。
【請求項１４】
前記ＰＤＵ連結モジュールは、前記一つ以上のＭＴＣデバイスに無線アクセスベアラ(ＲＡＢ)識別子を割り当てるように構成されることを特徴とする請求項１０に記載の装置。
【請求項１５】
前記ＰＤＵ連結モジュールは、前記ＲＡＢ識別子に対応する固有ＲＦＣ及び関連したサブフローを前記一つ以上のＭＴＣデバイスの各々に割り当てるように構成されることを特徴とする請求項１４に記載の装置。
【請求項１６】
前記ＰＤＵ連結モジュールは、前記ＲＡＢ識別子に対応するＲＦＣＩを横切って多重のサブフローを前記一つ以上のＭＴＣデバイスの各々に割り当てるように構成されることを特徴とする請求項１４に記載の装置。
【請求項１７】
前記一つ以上のＭＴＣデバイスに関連する前記集積されたＰＤＵを前記Ｉｕ ＰＤＵに連結することにおいて、前記ＰＤＵ連結モジュールは、前記ＲＡＢ識別子に基づいて前記一つ以上のＭＴＣデバイスに関連した前記集積されたＰＤＵを前記Ｉｕ ＰＤＵに連結することを特徴とする請求項１４に記載の装置。
【請求項１８】
前記Ｉｕ-ＰＳインタフェースを横切って前記連結されたＰＤＵを含む前記Ｉｕ ＰＤＵを多重化することにおいて、前記ＰＤＵ連結モジュールは、前記ＲＡＢ識別子に関連したＲＡＢを通じて前記Ｉｕ-ＰＳインタフェースを横切って前記連結されたＰＤＵを含む前記Ｉｕ ＰＤＵを多重化することを特徴とする請求項１７に記載の装置。
【発明の詳細な説明】
【技術分野】
【０００１】
本発明はユニバーサルモバイル通信システムの分野に関するもので、より具体的には、ユニバーサルモバイル通信システムにおけるＩｕインタフェースを介するマシンタイプ通信データの通信に関する。
【背景技術】
【０００２】
ユニバーサルモバイル通信システム(ＵＭＴＳ)は、ＧＳＭ（登録商標）標準に基づいた第３世代モバイルセルラー技術である。ＵＭＴＳは、大体ユーザー装置、ユニバーサル地上無線アクセスネットワーク(ＵＴＲＡＮ)、及びコアネットワークに分割される。ＵＴＲＡＮは、回路スイッチング(ＣＳ)サービス及びパケットスイッチング(ＰＳ）サービスを提供するためのユーザー装置とコアネットワークとの間の接続を許容する(一般的に３Ｇと称する)通信ネットワークである。例えば、一般的音声対話サービスは回路スイッチングサービスであり、インターネットプロトコル接続を通じるスマート計測サービスはパケットスイッチング(ＰＳ)サービスとして分類される。
【０００３】
一般的に、ＵＴＲＡＮは、一つ以上の無線ネットワークサブシステム(ＲＮＳ)を含む。各ＲＮＳは、無線ネットワーク制御器(ＲＮＣ)及びＲＮＣにより管理される一つ以上のＮｏｄｅ  Ｂを含む。各ＲＮＣは、通常に無線リソースを割り当てて管理し、コアネットワークに対してアクセスポイントとして動作する。一つ以上のＮｏｄｅ  Ｂは、アップリンクを介してユーザー装置により送信された情報を受信し、ダウンリンクを介してデータをそれぞれのユーザー装置に伝送する。言い換えれば、Ｎｏｄｅ  Ｂは、ユーザー装置に対してＵＴＲＡＮのアクセスポイントとして作用する。
【０００４】
コアネットワークは、回路スイッチング(ＣＳ)サービスをサポートするために共に接続されたモバイルスイッチングセンター(ＭＳＣ)及びゲートウェイモバイルスイッチングセンター(ＧＭＳＣ)を含む。また、コアネットワークは、パケットスイッチング(ＰＳ)サービスをサポートするために共に接続されるサービングＧＰＲＳサポートノード(ＳＧＳＮ)及びゲートウェイＧＰＲＳサポートノードを含む。
【０００５】
回路スイッチングサービスをサポートするために、ＲＮＣは、コアネットワークのＭＳＣに接続され、ＭＳＣは、他のネットワークとの接続を管理するＧＭＳＣに接続される。パケットスイッチングサービスをサポートするために、ＲＮＣは、コアネットワークのＳＧＳＮ及びＧＧＳＮに接続される。ＳＧＳＮは、ＲＮＣとのパケット通信をサポートし、ＧＧＳＮは、インターネットのような他のパケットスイッチングネットワークとの接続を管理する。
【０００６】
ネットワークコンポーネントが相互に情報を送信及び受信するように多様なタイプのインタフェースがネットワークコンポーネント間に存在する。ＲＮＣとコアネットワークとの間のインタフェースは、Ｉｕインタフェースとして定義される。特に、パケットスイッチングシステムに対するＲＮＣとコアネットワークとの間のＩｕインタフェースは“Ｉｕ-ＰＳ”として定義され、回路スイッチングシステムに対するＲＮＣとコアネットワークとの間のＩｕインタフェースは“Ｉｕ-ＣＳ”として定義される。
【０００７】
ＵＴＲＡＮを介してコアネットワークからＣＳ/ＰＳサービスに利用するユーザー装置は、マシンツーマシン通信(Ｍ２Ｍ)デバイスのようなレガシーデバイス又は非レガシーデバイスを含む。レガシーデバイスは、携帯電話(mobile  phone)のようなＣＳ及びＰＳサービスにアクセスするデバイスである。マシンツーマシン(Ｍ２Ｍ)通信(あるいは、“マシンタイプ通信”又は“ＭＴＣ”と称する)は、レガシーデバイスとは異なり(一般的にＭＴＣデバイスとして知られている)人間の相互作用を必ずしも必要としないデバイス間のデータ通信の形態である。
【０００８】
例えば、Ｍ２Ｍ通信において、(センサ又はスマートメーターのような)ＭＴＣデバイスは、分析及び必要なアクションのために‘Ｉｕ-ＰＳ’インタフェースを介してコアネットワークに存在するアプリケーションにＰＳデータとしてＮｏｄｅ  Ｂを通じて中継されるイベントデータをキャプチャすることができる。Ｍ２Ｍ通信は、(例えば、電力、ガス、水、熱、グリッド制御、及び産業用計測に関連したアプリケーションで)スマート計測システム、監視システム、注文管理、ゲームマシン、及び健康管理通信のような多様な領域で使われることができる。さらに、ＭＴＣ技術に基づいたＭ２Ｍ通信は、消費者サービスのような領域で使用することができる。
【０００９】
現在、多数のＭＴＣデバイスは、コアネットワークからのＰＳサービスに利用するＵＭＴＳに配置されている。例えば、ニューヨーク市/ワシントンＤＣで、マシンツーマシン通信が使用可能なおおよそ１５０００個のスマートメーターは、スマートグリッドアプリケーションをサポートするＮｏｄｅ  Ｂごとに設置されている。したがって、多数のＭ２Ｍデータ(例えば、Ｍ２Ｍ呼び出し)がＩｕ-ＰＳインタフェースを横切ってＲＮＣとコアネットワークとの間で交換されると予想される。しかしながら、ＵＴＲＡＮを通じてコアネットワークとＭＴＣデバイスとの間で交換されるＭ２Ｍデータは、小さいサイズのデータ(例えば、約２０ＫＢ)である。したがって、Ｉｕ-ＰＳインタフェースを横切ってＵＴＲＡＮとコアネットワークとの間で通信される多数の小さいサイズデータは、Ｉｕ-ＰＳインタフェースの過負荷を発生させ、それによってＵＭＴＳのスループットに影響を及ぼす。
【発明の概要】
【発明が解決しようとする課題】
【００１０】
したがって、上記した従来技術の問題点に鑑みてなされた本発明の目的は、ユニバーサルモバイル通信システムにおけるＩｕインタフェースを通じてマシンタイプ通信データを通信する方法及び装置を提供することにある。
【課題を解決するための手段】
【００１１】
上記のような目的を達成するために、本発明の一様態によれば、ユニバーサルモバイル通信システム(ＵＭＴＳ)におけるＩｕインタフェースを横切ってマシンタイプ通信(ＭＴＣ)データを通信する方法であって、ＵＭＴＳネットワーク環境で一つ以上のＭＴＣデバイスに関連したパケットデータユニット(ＰＤＵ)を集積するステップと、一つ以上のＭＴＣデバイスに関連した集積されたＰＤＵをＩｕ ＰＤＵに連結するステップと、無線ネットワーク制御器及びコアネットワークを接続するＩｕ-ＰＳインタフェースを横切って連結されたＰＤＵを含むＩｕ ＰＤＵを多重化するステップとを有する。
【００１２】
本発明の他の態様によれば、プロセッサと、プロセッサに結合されるメモリとを含み、上記メモリは、ユニバーサルモバイル通信システム(ＵＭＴＳ)ネットワーク環境で一つ以上のマシンタイプ通信(ＭＴＣ)デバイスに関連したパケットデータユニット(ＰＤＵ)を集積し、一つ以上のＭＴＣデバイスに関連した集積されたＰＤＵをＩｕ ＰＤＵに連結し、Ｉｕ-ＰＳインタフェースを横切って連結されたＰＤＵを含むＩｕ ＰＤＵを多重化するように構成されるＰＤＵ連結モジュールを含む。
【図面の簡単な説明】
【００１３】
【図１】本発明の一実施形態により、Ｉｕ-ＰＳインタフェースを横切ってマシンタイプ通信(ＭＴＣ)データを通信する例示的なユニバーサルモバイル通信システム(ＵＭＴＳ)のブロック構成図である。
【図２】本発明の一実施形態により、ＭＴＣデバイスと無線ネットワーク制御器(ＲＮＣ)との間で無線アクセスベアラ(ＲＡＢ)を確立する例示的な方法を示すプロセスフロー図である。
【図３】本発明の一実施形態により、Ｉｕ-ＰＳインタフェースを介してＭＴＣデータを通信する例示的な方法を示すプロセスフロー図である。
【図４】本発明の一実施形態による例示的な初期化制御フレームの概略図である。
【図５】本発明の実施形態を実現するための多様なコンポーネントを示すＲＮＣのブロック構成図である。
【発明を実施するための形態】
【００１４】
ここで説明される図面は、単に例示的なものであり、本発明の範囲を制限するように解釈されてはならない。
【００１５】
以下、本発明の望ましい実施形態を添付の図面を参照して詳細に説明する。
【００１６】
本発明は、ユニバーサルモバイル通信システム(ＵＭＴＳ)ネットワーク環境におけるＩｕインタフェースを横切ってマシンタイプ通信(ＭＴＣ)データを通信する方法及び装置を提供する。本発明の実施形態の後述する説明において、本発明の一部を形成し、本発明が実施できる例示的な特定の実施形態として示す添付の図面を参照する。これら実施形態は、本発明を実施できるように十分に具体的に説明され、他の実施形態も活用可能であり、本発明の範囲を逸脱することなく、変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【００１７】
図１は、本発明の一実施形態によるＩｕ-ＰＳインタフェースを横切ってＭＴＣデータを通信する例示的なＵＭＴＳ１００のブロック構成図である。図１において、ＵＭＴＳ１００は、ＭＴＣデバイス１０２Ａ-Ｎ、Ｎｏｄｅ  Ｂ１０４、無線ネットワーク制御器(ＲＮＣ)１０６、及びコアネットワーク１１０を含む。ＭＴＣデバイス１０２Ａ-Ｎ及びＮｏｄｅ  Ｂ１０４は、無線リンク(図示せず)を通じて接続される。ＲＮＣ１０６及びコアネットワーク１１０は、Ｉｕ-ＰＳインタフェース１１２を介して接続される。Ｎｏｄｅ  Ｂ及びＲＮＣ１０６がユニバーサル地上無線アクセスネットワーク(ＵＴＲＡＮ)の一部であることがわかる。例示のために、一つのＮｏｄｅ  ＢのみがＵＭＴＳ１００の一部として示されている。しかしながら、当業者は、ＵＭＴＳ１００に一つより多くのＮｏｄｅ  Ｂが存在することもあることを認識できる。また、Ｎｏｄｅ  Ｂの各々は、ＭＴＣデバイス及び/又はレガシーデバイスをサポートするために構成される。ＲＮＣ１０６は、本発明の一実施形態により、Ｉｕ-ＰＳインタフェース１１２を横切ってＭＴＣデータを效率的に通信するために動作可能なＰＤＵ連結モジュール１０８を含む。
【００１８】
ＲＮＣ１０６がＮｏｄｅ  Ｂ１０４を通じてＭＴＣデバイス１０２Ａ-Ｎ(例えば、センサー又はスマートメーター)からパケットスイッチング(ＰＳ)データを含む一つ以上のＰＤＵを受信することを考慮する。例えば、ＭＴＣデバイス１０２Ａ-Ｎは、イベントに関連したイベントデータをキャプチャすることができ、イベントデータをコアネットワーク１１０に存在するアプリケーションと通信するＲＮＣ１０６に中継することができる。
【００１９】
例示的な動作において、ＰＤＵ連結(concatenation)モジュール１０８は、一定期間でＭＴＣデバイス１０２Ａ-Ｎから受信されたＰＤＵを格納する。一部の実施形態では、コアネットワークエレメント(例えば、サービングＧＰＲＳサポートノード(ＳＧＳＮ))１１４は、所定の基準に基づいてＭＴＣデバイス１０２Ａ又はＭＴＣデバイス１０２Ａ-Ｎのグループに関連したＰＤＵを格納するようにＰＤＵ連結モジュール１０８に命令することができる。所定の基準は、ＭＴＣデバイス１０２Ａ-Ｎに関連したグループ識別子、ＲＡＢ識別子、Ｉｕ-ＰＳインタフェース１１２の過負荷条件、期間、及び集積されたＰＤＵの優先順位に基づくこともできる。これら実施形態において、ＰＤＵ連結モジュール１０６は、命令に基づいて受信されたＰＤＵを集積し、ＭＴＣデバイス１０２Ａ-Ｎから受信した集積されたＰＤＵをＩｕ  ＰＤＵで連結させる。したがって、ＰＤＵ連結モジュール１０８は、連結されたＰＤＵを含むＩｕ ＰＤＵをＩｕ-ＰＳインタフェース１１２を介してＳＧＳＮ１１４に多重化する。アップリンクでＰＤＵ連結モジュール１０８により遂行されるプロセスステップは、図３により詳細に説明する。
【００２０】
ＰＤＵ連結モジュール１０８がＲＮＣ１０６に在ることを図１に例示したが、コアネットワーク１１０は、ＰＤＵ連結モジュール１０６をさらに有することが考えられる。例えば、ＰＤＵ連結モジュール１０８がＳＧＳＮ１１４に在る場合、ＰＤＵ連結モジュール１０８は、Ｉｕ ＰＤＵで一つ以上のＭＴＣデバイス１０２Ａ-Ｎ向けのＰＤＵを連結させ、この連結されたＰＤＵを含むＩｕ ＰＤＵをＩｕ-ＰＳインタフェース１１２を介してＲＮＣ１０６に多重化する。一実施形態において、ＰＤＵ連結モジュール１０８は、集積されたＰＤＵを連結させ、Ｉｕ-ＰＳインタフェース１１２に関連した過負荷表示に基づいてＩｕインタフェースを横切って連結されたＰＤＵを多重化する。
【００２１】
図２は、本発明の実施形態によるＭＴＣデバイス１０２ＡとＲＮＣとの間に無線アクセスベアラ(ＲＡＢ)を確立する例示的な方法を示すプロセスフロー図２００である。ステップ２０２において、ＭＴＣデバイス１０２Ａは、ＰＳデータ呼び出し表示と共にセッション管理(ＳＭ)活性化パケットデータプロトコル(ＰＤＰ)コンテキスト要請をＮｏｄｅ  Ｂ１０４を通じてＲＮＣ１０６に送信する。例えば、ＳＭ活性化ＰＤＰコンテキスト要請は、無線リソース接続(ＲＲＣ)直接伝送メッセージで送信される。一実施形態において、ＰＳデータ呼び出し表示は、ＰＤＵ連結モジュール１０８がＭＴＣデバイス１０２Ａ又はＭＴＣデバイス１０２Ａ-Ｎのグループから受信されたＰＤＵを集積し、あるいはＩｕ-ＰＳインタフェース１１２を横切って集積されたＰＤＵを多重化する既存のＲＡＢを再使用することができる。このような場合に、ＭＴＣデバイス１０２Ａ-Ｎは、一緒にグループ化され、ＲＡＢ識別子に基づいて集積されたＰＤＵを連結させる既存のＲＡＢに関連したＲＡＢ識別子が割り当てられる。一実施形態では、固有ＲＦＣＩ及びＲＡＢ識別子に対応する関連したサブフローは、多重のＲＦＣＩが同一のＲＡＢで多重のＭＴＣデバイスを表す方式でＭＴＣデバイス１０２Ａ-Ｎの各々に割り当てられる。他の実施形態で、ＲＡＢ識別子に対応するＲＦＣＩを横切る多重のサブフローは、ＭＴＣデバイス１０２Ａ-Ｎの各々に割り当てられる。
【００２２】
ステップ２０４において、ＲＮＣ１０６は、無線アクセスネットワークアプリケーションパート(ＲＡＮＡＰ)直接伝送メッセージでＲＡＢ再使用表示と一緒にＳＭ活性化ＰＤＰコンテキスト要請をＳＧＳＮ１１４に中継する。ステップ２０６において、ＲＮＣ１０６は、無線ベアラセットアップメッセージをＭＴＣデバイス１０２Ａに送信する。ステップ２０８において、ＭＴＣデバイス１０２Ａは、成功的な無線ベアラ確立時に無線ベアラ完了メッセージをＲＮＣ１０６に送信する。ステップ２１０において、ＳＧＳＮ１１４は、Ｉｕ-ＰＳベアラ確立手順を遂行せず、ＳＭ活性化ＰＤＰコンテキスト受け入れメッセージを送信する。ステップ２１２において、ＲＮＣ１０６は、ＳＭ活性化ＰＤＰコンテキスト受け入れメッセージをＭＴＣデバイス１０２Ａにフォワーディングする。
【００２３】
図３は、一実施形態によるＩｕ-ＰＳインタフェース１１２を介してＭＴＣデータを通信する例示的な方法を示すプロセスフロー図３００である。ステップ３０２において、ＭＴＣデバイス１０２Ａ-Ｎのうち一つは、Ｎｏｄｅ  Ｂ１０４を通じてＲＮＣ１０６とのＰＳデータ呼び出しを開始する。ＰＳデータ呼び出しは、サービス要請メッセージをＲＮＣ１０６に送信することによって開始され得る。サービス要請メッセージは、ＭＴＣデバイス１０２Ａ-ＮがＰＳデータ呼び出しの間にコアネットワーク１１０とＰＳデータを通信しようとすることを表すことができる。あるいは、ＲＮＣ１０６は、呼び出しがランダムアクセスチャンネル(ＲＡＣＨ)呼び出し理由又は無線リンク制御(ＲＬＣ)/メディアアクセス制御(ＭＡＣ)表示を通じてＭＴＣデバイス１０２Ａからなされることを決定できる。
【００２４】
ステップ３０４において、ＲＮＣ１０６は、ＰＳデータ呼び出しの表示に応答して確認応答メッセージを送信する。ステップ３０６において、ＭＴＣデバイス１０２Ａ-Ｎの各々は、ＰＳデータを含むＰＤＵをＲＮＣ１０６に伝送する。ステップ３０８において、ＲＮＣ１０６は、所定期間でＭＴＣデバイス１０２Ａ-Ｎから受信されたＰＤＵを集積する。所定の期間は、確認応答メッセージに応答してＭＴＣデバイス１０２Ａ-Ｎのうち一つにより通信され、あるいはＲＮＣ１０６により決定することができる。
【００２５】
ステップ３１０において、ＲＮＣ１０６は、無線ベアラ確立時にＭＴＣデバイス１０２Ａ-Ｎに割り当てられたＲＡＢ識別子に基づいて集積されたＰＤＵをＩｕ ＰＤＵに連結する。ステップ３１２において、ＲＮＣ１０６は、連結されたＰＤＵを割り当てられたＲＡＢ識別子に関連した単一ＲＡＢを通じてＩｕ-ＰＳインタフェース１１２を横切ってＳＧＳＮ１１４に多重化する。ステップ３１４において、ＳＧＳＮ１１４は、ＰＳデータをさらにプロセッシングするためにＩｕ ＰＤＵで連結されたＰＤＵをストリップ(strip)する。
【００２６】
図４は、本発明の一実施形態による例示的な初期化制御フレーム４００を示す概略図である。特に、制御フレーム４００は、サブフロー識別子フィールド４０２及びＰＤＵタイプフィールド４０４を含む。サブフロー識別子フィールド４０２は、ＭＴＣデバイス１０２Ａ-Ｎの各々に割り当てられたサブフローに関連したサブフロー識別子を含む。サブフロー識別子フィールド４０２は、単一ＲＡＢ内の異なるＭＴＣデバイス１０４Ａ-Ｎに割り当てられたサブフローとＲＦＣＩとの間のマッピングを表す。ＰＤＵタイプフィールド４０４は、ＰＤＵがＩｕ ＰＤＵに連結されるか否かを示す。
【００２７】
図５は、本発明の実施形態を実現する多様なコンポーネントを示すＲＮＣ１０６のブロック構成図である。図５において、ＲＮＣ１０６は、プロセッサ５０２、メモリ５０４、読み取り専用メモリ(ＲＯＭ)５０６、送受信器(transceiver)５０８、及びバス５１０を含む。
【００２８】
ここで使用されるように、プロセッサ５０２は、マイクロプロセッサ、マイクロ制御器、複合命令集合コンピュータマイクロプロセッサ、縮小命令集合コンピュータマイクロプロセッサ、非常に長い命令語マイクロプロセッサ、明示的並列命令コンピュータマイクロプロセッサ、グラフィックプロセッサ、デジタル信号プロセッサ、又は任意の他のタイプのプロセッシング回路のような任意のタイプの計算回路を意味するが、これに限定されない。また、プロセッサ５０２は、一般的又はプログラム可能な論理デバイス又はアレイ、特定用途用集積回路、単一チップコンピュータ、及びスマートカードのような内蔵型制御器を含むことができる。
【００２９】
メモリ５０４は、揮発性メモリ及び非揮発性メモリであり得る。メモリ５０４は、本発明の実施形態により、一つ以上のＭＴＣデバイス１０２Ａ-Ｎから受信されたＰＤＵを集積し、集積されたＰＤＵを単一Ｉｕ ＰＤＵに連結させるＰＤＵ連結モジュール１０８を含む。多様なコンピュータ読み取り可能な記録媒体がメモリエレメントに格納され、メモリエレメントからアクセスすることができる。メモリエレメントは、読み取り専用メモリ、ランダムアクセスメモリ、消去可能プログラマブル読み取り専用メモリ、電気的消去可能プログラマブル読み取り専用メモリ、ハードドライブ、メモリカードを処理する取り外し可能なメディアドライブ、及びメモリスティックＴＭのような、データ及び機械読み取り可能な命令を格納する任意の適合したメモリデバイスを含むことができる。
【００３０】
本発明の実施形態は、作業を遂行し、あるいは抽象データタイプ又は低レベルハードウェアコンテキストを定義する、関数、手順、データ構造、及びアプリケーションプログラムを含むモジュールと共に実現することができる。任意の上記した記憶媒体に格納された機械読み取り可能な命令は、プロセッサ５０２により実行することができる。例えば、コンピュータプログラムは、本発明の説明される実施形態の教示によって、一つ以上のＭＴＣデバイス１０２Ａ-Ｎから受信されたＰＤＵを集積し、集積されたＰＤＵを単一Ｉｕ ＰＤＵに連結させる機械読み取り可能な命令を含むことができる。一実施形態において、コンピュータプログラムは、記憶媒体に含むことができ、その記録媒体から非揮発性メモリでのハードドライブにローディングすることができる。送受信器５０８は、連結されたＰＤＵを含むＩｕ ＰＤＵを単一ＲＡＢを通じてＩｕインタフェースを横切って多重化するために構成される。
【００３１】
多様な実施形態において、図１〜図４に説明した方法及び装置は、アップリンク(ＲＮＣ１０６〜ＳＧＳＮ１１４)及びダウンリンク(ＳＧＳＮ１１４〜ＲＮＣ１０６)方向ともにＩｕ-ＰＳインタフェースを横切ってＭＴＣデータの通信を可能にする。また、一つ以上のＭＴＣデバイス１０２Ａ-Ｎから受信されたＰＤＵは、Ｉｕ-ＰＳインタフェース１１２に関連した過負荷表示に基づいてＩｕ-ＰＳインタフェース１１２を横切って多重化する以前にＩｕ ＰＤＵに連結される。例えば、ＳＧＳＮ１１４は、過負荷表示をＰＤＵの連結を初期化するＲＮＣ１０６に送信できる。あるいは、ＲＮＣ１０６は、Ｉｕ ＰＤＵでＰＤＵを連結させる必要性を提案するＳＧＳＮ１１４に過負荷表示を送信できる。当業者は、連結されるＰＤＵがＭＴＣデバイスのグループに属する単一ＭＴＣデバイス又は多重のＭＴＣデバイスに関連することを認識するはずである。
【００３２】
以上、本発明の詳細な説明においては具体的な実施形態に関して説明したが、特許請求の範囲を外れない限り、様々な変更が可能であることは、当該技術分野における通常の知識を持つ者には明らかである。また、ここで説明した多様なデバイス、モジュール、選択器、推定器などがハードウェア回路、例えば、相補的金属酸化物半導体基盤論理回路、ファームウェア、ソフトウェア及び/又はハードウェア、ファームウェア及び/又は機械読み取り可能なメディアに実現されるソフトウェアの任意の組み合わせを使用してイネーブルされ、動作することもできる。例えば、多様な電気的構造及び方法がトランジスタ、論理ゲート、及び特定用途用集積回路のような電気回路を用いて実現することができる。
【符号の説明】
【００３３】
１０２Ａ，１０２Ｂ，１０２Ｎ：ＭＴＣデバイス
１０４：Ｎｏｄｅ  Ｂ
１０８：ＰＤＵ連結モジュール
１１０：コアネットワーク
１１２：Ｉｕ-ＰＳインタフェース
【図１】
0005500747.tif 000002
【図２】
0005500747.tif 000003
【図３】
0005500747.tif 000004
【図４】
0005500747.tif 000005
【図５】
0005500747.tif 000006